(57)【要約】      （修正有）【課題】締め付け作業が簡単迅速に行え、緩み止め効果が確実にかつ強固に発揮できるダブルロックナットを提供する。【解決手段】中央ねじ孔１１を有する上ナット１と、中央ねじ孔２１を有する下ナット２とからなり、上ナット１にはその締付面側に中央ねじ孔１１より大径の偏心円筒部１２が中央ねじ孔１１に対し偏心されて軸方向外方に突設され、その内周には中央ねじ孔１１が連続形成されていると共に外周には中央ねじ孔１１のピッチよりも小ピッチの大径ねじ部１３が形成される。下ナット２には偏心円筒部１２との対向上面側に、大径ねじ部１３と螺合する大径ねじ孔２２が中央ねじ孔２１に対し偏心されて形成され、締結後、ナット１のみを下ナット２に対し所定角度ねじ込むことにより、径方向のずれによるロック作用と、軸方向の挟み付けによるロック作用とにより緩み止めした。【選択図】図７
0003187298.tif 000002
【実用新案登録請求の範囲】
【請求項１】
ボルトに螺合する中央ねじ孔を有する上ナットと、ボルトに螺合する中央ねじ孔を有する下ナットとからなり、上ナットには、その締付面側に中央ねじ孔より大径の偏心円筒部が中央ねじ孔に対し軸直角方向に偏心されて軸方向外方に突設されていると共に、偏心円筒部の内周には中央ねじ孔が連続形成され、外周には中央ねじ孔のピッチよりも小ピッチの大径ねじ部が形成されている一方、下ナットには、上記偏心円筒部との対向上面側に、上記大径ねじ部と螺合する中央ねじ孔のピッチよりも小ピッチの大径ねじ孔が中央ねじ孔に対し軸直角方向に偏心されて形成されており、常時は、下ナットの大径ねじ孔に上ナットの大径ねじ部が大径ねじ孔の奥部分及び相対向する締付面部分においてそれぞれ所定の隙間を残して螺合され、かつ下ナットと上ナットとが平面視で一致すると同時に両者の中央ねじ孔の中心及びピッチが一致する状態にセットされており、締結時には、そのセット状態のまま上下ナットをボルトに所定のトルクが作用するまで締め付けた後、上ナットのみを下ナットに対し所定角度ねじ込むことにより、径方向のずれによるロック作用と、同時にボルトに対する軸方向の挟み付けによるロック作用とにより緩み止めするように構成したことを特徴とするダブルロックナット。
【請求項２】
上ナットと下ナットとをセット状態に位置保持させるため、上下ナットの対向側面に刻印などによる位置合わせマークが設けられていると共に、下ナットの大径ねじ孔の奥部と上ナットの偏心円筒部との間に外力による不用意な遊転を防止するバネが内装されていることを特徴とする請求項１記載のダブルロックナット。
【考案の詳細な説明】
【技術分野】
【０００１】  本考案は、固定ボルトなどに用いられる緩み防止用のダブルロックナットに関するものである。
【背景技術】
【０００２】  一般に、ナットの緩み防止手段としては、上ナットと下ナットとからなるダブルロックナットが用いられ、下ナットを上ナット締め付けた後、上ナットを下ナットに押し付けるように締め付けて、下ナットが緩んだり外れたりしないように固定している。
【先行技術文献】
【特許文献】
【０００３】
【特許文献１】  実用新案登録第３１６０３９２号公報
【考案の概要】
【考案が解決しようとする課題】
【０００４】    ところが、上記したダブルロックナットによれば、下ナットと上ナットを固定ボルトに個別に締め付ける作業が必要となるため作業性が悪い問題があり、しかも、下ナットと上ナットを共に適正なトルクで締め付けなければ、緩み効果が十分に発揮されないといった問題を有していた。【０００５】  そこで本考案は、ダブルロックナットの締め付け作業が簡単迅速に行え、しかも、ダブルロックナットの緩み止め効果が確実にかつ強固に発揮でき、さらに、上ナットの回転量（締付量）が容易に視認でき適正な締め付けが容易に行えると同時に締め付け後において上ナットの締め忘れの確認も行えるダブルロックナットの提供を課題とする。
【課題を解決するための手段】
【０００６】  上記した問題を解決するため、本考案の請求項１記載の考案は、ボルトに螺合する中央ねじ孔を有する上ナットと、ボルトに螺合する中央ねじ孔を有する下ナットとからなり、上ナットには、その締付面側に中央ねじ孔より大径の偏心円筒部が中央ねじ孔に対し軸直角方向に偏心されて軸方向外方に突設されていると共に、偏心円筒部の内周には中央ねじ孔が連続形成され、外周には中央ねじ孔のピッチよりも小ピッチの大径ねじ部が形成されている一方、下ナットには、上記偏心円筒部との対向上面側に、上記大径ねじ部と螺合する中央ねじ孔のピッチよりも小ピッチの大径ねじ孔が中央ねじ孔に対し軸直角方向に偏心されて形成されており、常時は、下ナットの大径ねじ孔に上ナットの大径ねじ部が大径ねじ孔の奥部分及び相対向する締付面部分においてそれぞれ所定の隙間を残して螺合され、かつ下ナットと上ナットとが平面視で一致すると同時に両者の中央ねじ孔の中心及びピッチが一致する状態にセットされており、締結時には、そのセット状態のまま上下ナットをボルトに所定のトルクが作用するまで締め付けた後、上ナットのみを下ナットに対し所定角度ねじ込むことにより、径方向のずれによるロック作用と、同時にボルトに対する軸方向の挟み付けによるロック作用とにより緩み止めするように構成したことを特徴とする。【０００７】  本考案の請求項２記載の考案は、請求項１記載の構成において、上ナットと下ナットとをセット状態に位置保持させるため、上下ナットの対向側面に刻印などによる位置合わせマークが設けられていると共に、下ナットの大径ねじ孔の奥部と上ナットの偏心円筒部との間に外力による不用意な遊転を防止するバネが内装されていることを特徴とする。
【考案の効果】
【０００８】  本考案によれば、上記した構成により、ダブルロックナットの締め付け作業が簡単迅速に行え、しかも、上下両ナットをセット状態のまま一緒にボルトに所定のトルクが作用するまで締め付けた後、上ナットのみを下ナットに対し所定角度ねじ込むことにより、径方向（軸直角方向）のずれによるロック作用と、同時に上ナットのボルトに対する軸方向の挟み付けによるロック作用とにより、ボルトＢに対して緩み止めナットなる上ナットが左右と上下両方のロック力でしっかり噛み付き、厳しい状況下でも十分な緩み止め効果を発揮することができる。【０００９】  また、上ナットと下ナットとをセット状態時において適正位置に位置保持させるため、上下ナットの対向側面に刻印などによる位置合わせマークを設けると共に、下ナットの大径ねじ孔内奥部と上ナットの偏心円筒部との間に外力による不用意な遊転を防止するバネを内装するようにすれば、ダブルロックナットのセット状態が正常の状態であるかどうかが簡単容易に確認できると共に上ナットの下ナットに対する回転量が容易に視認でき適正な締め付けが容易に行える。その上、内装したバネにより、下ナットに対する上ナットの外力による不用意な遊転を防止でき、これによりダブルロックナットのセット状態を簡単かつ正確に維持することができ、上下両ナットを一体化させた状態での締付けや取外し作業が簡単容易に行える。
【図面の簡単な説明】
【００１０】
【図１】本考案に係るダブルロックナットの正面図である。
【図２】同ダブルロックナットの中央縦断面図である。
【図３】同上ナットの一部切欠正面図である。
【図４】同上ナットの底面図である。
【図５】同下ナットの一部切欠正面図である。
【図６】同下ナットの底面図である。
【図７】ダブルロックナットの使用状態の説明図である。
【考案を実施するための形態】
【００１１】  以下本考案の実施の形態を図に基づいて説明する。
【００１２】  図１〜６は、本考案に係るダブルロックナットを示し、このダブルロックナットＮは、ボルトＢに螺合する中央ねじ孔１１を有する多角形（図では六角）の上ナット１と、ボルトＢに螺合する中央ねじ孔２１を有する多角形（図では六角）の下ナット２とからなる。上ナット１は、図３及び図４に示すように、その締付面側に中央ねじ孔１１より大径の偏心円筒部１２が中央ねじ孔１１の中心に対し軸直角方向にｘ寸法だけ偏心されて軸方向外方に突設されていると共に、偏心円筒部１２の内周には中央ねじ孔１１が連続して形成され、外周には中央ねじ孔１１のピッチよりも小ピッチの大径ねじ部１３が形成されている。
【００１３】  一方、下ナット２は、図５及び図６に示すように、上記偏心円筒部１２との対向上面側に大径ねじ部１３と螺合する中央ねじ孔２１のピッチよりも小ピッチの大径ねじ孔２２が中央ねじ孔２１の中心に対し軸直角方向にｘ寸法だけ偏心されて形成されており、常時は、下ナット２の大径ねじ孔２１に上ナット１の大径ねじ部１３がボルトに螺合する中央ねじ孔を有する上ナットと、ボルトに螺合する中央ねじ孔を有する下ナットとからなり、上ナットには、その締付面側に中央ねじ孔より大径の偏心円筒部が中央ねじ孔に対し偏心されて軸方向外方に突設されていると共に、偏心円筒部の内周には中央ねじ孔が連続形成され、外周には中央ねじ孔のピッチよりも小ピッチの大径ねじ部が形成されている一方、下ナットには、上記偏心円筒部との対向上面側に、上記大径ねじ部と螺合する中央ねじ孔のピッチよりも小ピッチの大径ねじ孔が中央ねじ孔に対し偏心されて形成されており、常時は、下ナット２の大径ねじ孔２２に上ナット１の大径ねじ部１３が大径ねじ孔２２の奥部分及び相対向する締付面部分においてそれぞれ所定の隙間を残して螺合され、かつ、下ナット２と上ナット１とが平面視で一致すると同時に両者の中央ねじ孔１１，２１の中心及びピッチが一致する状態にセットされている。なお、相対向する締付面部分の隙間としては、例えば１ピッチ程度であればよいし、また、大径ねじ孔２２の奥部分の隙間としては、後述するバネを内装できる隙間があればよい。
【００１４】  また、上ナット１と下ナット２とを上記した適正なセット状態に位置保持させるため、上下ナットの対向側面に刻印などによる位置合わせマーク３，４が設けられていると共に、下ナット２の大径ねじ孔２２の奥部と上ナット１の偏心円筒部１２の端面との間に外力による不用意な遊転を防止するバネ５が内装されている。
【００１５】  そして、上記セット状態のまま上下ナット１，２をボルトＢに所定のトルクが作用するまで締め付けた後、さらに、上ナット１のみを下ナット２に対して所定角度ねじ込むことにより、径方向のずれによるロック作用と、同時にボルト対する軸方向の挟み付けによるロック作用とにより緩み止めが行われるように構成されている。なお、上ナット１のみを下ナット２に対してねじ込む所定角度としては、３６０度までであり、１８０度の時が緩み止め効果は最も発揮される。
【００１６】  また、上記したダブルロックナットを製造するに際しては、例えば上ナット１と下ナット２とにおける中央ねじ孔１１，２１を、最後にねじ切りする。つまり、まず、六角形の上ナット１の締付面側に大径ねじ部１３が形成された大径の円筒部１２を形成する一方、下ナット２の上記円筒部１２との対向上面側に上記円筒部１２の大径ねじ部１３と螺合する大径ねじ孔２２を形成し、次に、下ナット２の大径ねじ孔２２奥部と上ナット１の大径ねじ部２３との間に外力による不用意な遊転を防止するバネが内装した状態で所定の隙間となり、かつ下ナット２と上ナット１とが平面視で一致する状態までねじ込む。その後、その状態で上下ナット１，２の側面に位置合わせマーク３，４を刻印する。そして、その刻印３，４を位置合わせした状態で最後に上ナット１と下ナット２とにおける中央ねじ孔１１，２１をねじ切りする。その後、一旦上下ナット１，２を外し下ナット２の大径ねじ孔２２の奥部と上ナット１の偏心円筒部１２の端面との間にバネ５を内装し、再び下ナット２と上ナット１とが平面視で一致すると同時に両者の中央ねじ孔１１，２１の中心及びピッチが一致する状態にセットすればよい。
【００１７】  次に、以上のように構成したダブルロックナットの作用について説明する。
【００１８】  図７に示すように被締結物６，７に挿嵌したボルトＢのねじ部Ｂ１にダブルロックナットＮを螺合して締め付ける。つまり、その締め付けにおいては、上ナット１と下ナット２とが図１に示すように刻印４，５を位置合わせしたセット状態のまま一緒にボルトＢに所定のトルクが作用するまで締め付ける。そして、所定のトルクが作用した後は、上ナット１のみを下ナット２側に対してねじ込み方向に所定角度回転させて、中央ねじ孔２１に対し偏心された大径ねじ部１３を大径ねじ孔２２にねじ込む。これにより、大径ねじ部１３が中央ねじ孔２１に対し偏心され、また、大径ねじ孔２２が中央ねじ孔２１に対し偏心されている関係で、上下ナット１，２が径方向にずれてボルトＢに径方向（軸直角方向）から押し付けてロックするロック作用が働く。また、これと同時に、大径ねじ部１３と大径ねじ孔２２のピッチが中央ねじ孔１１，２１のピッチよりも小ピッチに形成されているので、上記ずれによるロック作用に加えて上ナット１のボルトＢに対する軸方向の挟み付けによるロック作用が働く。その結果、これら両作用によりボルトＢに対して緩み止め上ナット１が左右と上下両方のロック力でしっかり噛み付き、厳しい状況下でも十分な緩み止め効果を発揮することができる。
【００１９】  さらに、上下ナット１，２の対向側面には、刻印などによる位置合わせマーク３，４が設けられているので、ダブルロックナットＮのセット状態が正常の状態であるかどうかが簡単容易に確認できるし、上ナット１の下ナット２に対する回転量（締付量）が容易に視認でき適正な締め付けが容易に行える。また、下ナット２の大径ねじ孔２２内奥部と上ナット１の偏心円筒部１２との間に内装したバネ５により、下ナット２に対する上ナット１の外力による不用意な遊転を防止できる。これによりダブルロックナットＮのセット状態を簡単かつ正確に維持でき、上下両ナット１，２を一体化させた状態での締付けや取外し作業が簡単容易に行える。
【符号の説明】
【００２０】１              上ナット
１１            中央ねじ孔
１２            偏心円筒部
１３            大径ねじ部
２              下ナット
２１            中央ねじ孔
２２            大径ねじ孔
３，４          マーク
５              バネ
Ｎ              ダブルロックナット
【図１】
0003187298.tif 000003
【図２】
0003187298.tif 000004
【図３】
0003187298.tif 000005
【図４】
0003187298.tif 000006
【図５】
0003187298.tif 000007
【図６】
0003187298.tif 000008
【図７】
0003187298.tif 000009